(57)【特許請求の範囲】
【請求項１】
トイレ内において、各小便器に対応して設けられる、視覚的に認識可能な複数種類の色にて点灯する複数の点灯手段と、
小便器利用者の利用位置と前記各小便器との間隔を段階的に検出する検出装置と
を備え、
前記複数の点灯手段は、前記検出装置にて検出した複数の利用位置に対応して点灯するように設定され、
前記検出装置は、少なくとも、適切な利用位置と、小便器利用者が前進すべき利用位置と、不適切な利用位置とを検出可能である
ことを特徴とする小便器利用位置誘導装置。
【請求項２】
前記複数の点灯手段は、適切な利用位置を示す場合を青色の点灯とし、小便器利用者が前進すべき利用位置を示す場合を黄色の点灯とし、不適切な利用位置を示す場合を赤色の点灯とした請求項１記載の小便器利用位置誘導装置。
【請求項３】
前記検出装置にて検出した複数種類の利用位置に対応して音声を発生する音声発生装置をさらに有する請求項１又は２記載の小便器利用位置誘導装置。
【請求項４】
請求項１〜３のいずれか１に記載の小便器利用位置誘導装置と、
前記小便器利用位置誘導装置における検出装置から出力される検出信号を受信する検出信号受信手段と、
前記検出信号受信手段で受信したデータから小便器の利用状況を解析する小便器利用状況解析手段と
を備えていることを特徴とする小便器利用状況管理システム。
【請求項５】
前記検出信号受信手段が、さらに、前記トイレへの入退室を検出する入退室検出センサからの信号を受信可能であり、
前記入退室検出センサからの信号と、前記小便器利用位置誘導装置における検出装置から出力される信号とを比較する比較判断手段をさらに有し、
前記トイレへの入退室人数と、前記各小便器の利用人数とを比較可能である請求項４記載の小便器利用状況管理システム。
【請求項６】
さらに、前記検出装置から出力される検出信号のデータにおいて、前記検出装置の検出の継続時間を測定する継続時間測定手段を有し、
前記継続時間が所定時間以上を経過した場合を、小便器利用者の利用位置と判断する請求項４又は５記載の小便器利用状況管理システム。
【請求項７】
請求項１〜３のいずれか１に記載の小便器利用位置誘導装置における検出装置から出力される検出信号のデータを受信し、
受信した検出信号のデータから小便器の利用状況を解析することを特徴とする小便器利用状況管理方法。
【請求項８】
請求項１〜３のいずれか１に記載の小便器利用位置誘導装置における検出装置から出力される検出信号のデータを受信するステップと、
前記ステップにて受信した検出信号のデータから小便器の利用状況を解析するステップと
をコンピュータに実行させることを特徴とするコンピュータプログラム。
【発明の詳細な説明】
【技術分野】
【０００１】
本発明は、小便器を利用する際に尿が小便器の周囲に飛散しないよう促すために適切な小便器利用位置へ誘導する小便器利用位置誘導装置、並びに、小便器利用状況を管理するための小便器利用状況管理システム、小便器利用状況管理方法およびコンピュータプログラムに関する。
【背景技術】
【０００２】
小便器においては、人の利用位置によって尿が該小便器の周囲に飛散してしまうことがある。特に、公共施設、スーパー、デパート、公園などの不特定多数の人が利用するトイレでは、多数の人が利用することもあり、尿が小便器の周囲により多く飛散し、菌が繁殖したり、臭いがひどくなったりして、環境衛生上好ましくない。
【０００３】
また、小便器周囲の床等に飛散した尿を靴などの履物の裏に付けて歩き回ることで、菌や悪臭が拡散する。この悪臭等の拡散を防ぐために、床面に消臭抗菌機能を有する素材を設けたり、頻繁に清掃したりすることが一般に行われているが、かなりのコスト、労力を要する。また、利用者に『もう一歩前へ』などの張り紙を設けたりすることも行われているが、十分な効果は得られていない。
【０００４】
そのため、従来、小便器周囲に尿の飛散、拡散を防止するため、次のような提案がなされている。例えば、特許文献１では、男性用の小便器の内壁に、小さな虫や草花の形状に似せて立体的に形成した疑似形状体を取り付けている。一般的に、小便器に小さな虫や草花などの自然物が付着していると尿で流し落そうとする心理状態を利用している。
【０００５】
特許文献２では、男性用の小便器の内壁に、利用時の的となるシールを張り付けている。また、シールは感温印刷を施したフィルムを張り付けることで、利用者の興味を持続させようとしている。尿がシールにかかると、尿の熱に反応して感温印刷部分が変色し、模様が変化する。
【０００６】
特許文献３では、小便器利用者と小便器との間の距離を検知する検出装置と、検出装置で検知した距離が適正でない場合、小便器を適正な位置まで移動する駆動装置と、を備えている。
【先行技術文献】
【特許文献】
【０００７】
【特許文献１】特開２００９−６８２１５号公報
【特許文献２】実開平６−４３０７７号公報
【特許文献３】特開２００９−２６３９５９号公報
【発明の概要】
【発明が解決しようとする課題】
【０００８】
特許文献１及び特許文献２の技術では、的となる疑似形状体やシールが小便器内に設けられているため、視線を下方に向けないとそれらを発見できず、利用者がそれらの的に気づかない場合がある。一方、それらの的は、利用者が小便器から多少離れた位置で用を足しても、的となる疑似形状体やシールに尿を命中させることが可能であり、尿の飛散防止の点で十分ではない。
【０００９】
特許文献３の技術では、小便器利用者と小便器との間の距離が適正でない場合、小便器が駆動装置によって小便器利用者に近づくので、尿の飛散防止の効果がそれなりに高いと考えられる。しかし、駆動装置が大がかりであることと、すべての小便器に対して駆動装置を設けるには膨大なコストがかかる。
【００１０】
本発明は上記に鑑みなされたものであり、小便器利用者がトイレにおいて小便器を利用する際に、尿が小便器の周囲に飛散しないよう促すために適切な小便器利用位置へと誘導可能な小便器利用位置誘導装置、並びに、小便器利用状況を管理するための小便器利用状況管理システム、小便器利用状況管理方法およびコンピュータプログラムを提供することを課題とする。
【課題を解決するための手段】
【００１１】
上記課題を解決するため、本発明の小便器利用位置誘導装置は、
トイレ内において、各小便器に対応して設けられる、視覚的に認識可能な複数種類の色にて点灯する複数の点灯手段と、
小便器利用者の利用位置と前記各小便器との間隔を段階的に検出する検出装置と
を備え、
前記複数の点灯手段は、前記検出装置にて検出した複数の利用位置に対応して点灯するように設定されていることを特徴とする。
【００１２】
前記検出装置は、少なくとも、適切な利用位置と、小便器利用者が前進すべき利用位置と、不適切な利用位置とを検出可能であることが好ましい。
前記複数の点灯手段は、適切な利用位置を示す場合を青色の点灯とし、小便器利用者が前進すべき利用位置を示す場合を黄色の点灯とし、不適切な利用位置を示す場合を赤色の点灯とした構成とすることが好ましい。
前記検出装置にて検出した複数種類の利用位置に対応して音声を発生する音声発生装置をさらに有することが好ましい。
【００１３】
また、本発明の小便器利用状況管理システムは、
前記小便器利用位置誘導装置と、
前記小便器利用位置誘導装置における検出装置から出力される検出信号を受信する検出信号受信手段と、
前記検出信号受信手段で受信したデータから小便器の利用状況を解析する小便器利用状況解析手段と
を備えていることを特徴とする。
【００１４】
前記検出信号受信手段が、さらに、前記トイレへの入退室を検出する入退室検出センサからの信号を受信可能であり、
前記入退室検出センサからの信号と、前記小便器利用位置誘導装置における検出装置から出力される信号とを比較する比較判断手段をさらに有し、
前記トイレへの入退室人数と、前記各小便器の利用人数とを比較可能であることが好ましい。
【００１５】
さらに、前記検出装置から出力される検出信号のデータにおいて、前記検出装置の検出の継続時間を測定する継続時間測定手段を有し、
前記継続時間が所定時間以上を経過した場合を、小便器利用者の利用位置と判断する構成であることが好ましい。
【００１６】
また、本発明の小便器利用状況管理方法は、前記小便器利用位置誘導装置における検出装置から出力される検出信号のデータを受信し、受信した検出信号のデータから小便器の利用状況を解析することを特徴とする。
【００１７】
また、本発明のコンピュータプログラムは、前記小便器利用位置誘導装置における検出装置から出力される検出信号のデータを受信するステップと、
前記ステップにて受信した検出信号のデータから小便器の利用状況を解析するステップと
をコンピュータに実行させることを特徴とする。
【発明の効果】
【００１８】
本発明の小便器利用位置誘導装置によれば、複数の点灯手段が、複数の利用位置に対応して視覚的に認識可能な複数種類の色にて点灯するので、小便器利用者がその色を見ただけで、前進又は停止を判別して行動を促される。したがって、小便器利用者を適切な位置へ誘導することができる。
【００１９】
例えば、小便器利用者が、不適切な利用位置に立った場合、赤色の点灯手段が点灯する。赤色の点灯手段の点灯を見た小便器利用者は、習慣的に不適切な位置だと判断して前進するように促される。また、小便器利用者が前進すべき利用位置に立った場合、黄色の点灯手段が点灯する。黄色の点灯手段の点灯を見た小便器利用者は、習慣的にもう少し前進すべき位置だと判断して前進するように促される。適切な利用位置に立った場合、青色の点灯手段が点灯する。青色の点灯手段の点灯を見た小便器利用者は、習慣的に適切な位置だと判断する。
その結果、小便器利用者が、赤、黄、青の３種類の色の点灯を見ただけで習慣的に前進するように促され、青色が点灯する利用位置まで誘導する効果がある。しかも、小便器自体を前後に可動させるような装置が不要であり、低コストで提供できる。
【００２０】
本発明の小便器利用状況管理システム、小便器利用状況管理方法およびコンピュータプログラムによれば、例えば、青色、黄色、赤色のいずれかの点灯手段が点灯する場合は、小便器利用者を検出している。
【００２１】
よって、トイレの全体の利用者数だけでなく、例えば複数の各小便器の利用状況を把握できる。また、各小便器において各点灯手段が点灯する利用位置で排尿している人が何人いるか、すなわち、適切な位置で利用している人の人数、あるいはそれ以外の位置で利用している人の人数等の状況を解析できる。さらに、トイレにおける複数の小便器のうち、どの小便器の利用者数が多いかあるいは少ないかなど、トイレ内の複数の小便器の全体的な利用状況を解析できる。解析結果に基づいて、清掃の回数を増やしたり、トイレ自体の改善を促したりする対策を取ることができ、あるいはその他の観点から様々な改善策、対応策を取ることができる。
【図面の簡単な説明】
【００２２】
【図１】図１は、本発明の一の実施形態に係る小便器利用位置誘導装置の概略的な側面図である。
【図２】図２は、本発明の一の実施形態に係る小便器利用位置誘導装置の概略的な正面図である。
【図３】図３は、本発明の一の実施形態に係る小便器利用状況管理システムを実現するための全体構成を示す図である。
【発明を実施するための形態】
【００２３】
以下、図面に示した実施形態に基づき本発明をさらに詳細に説明する。図１〜図２は、本実施形態に係る小便器利用位置誘導装置を概略的に示す。
【００２４】
小便器利用位置誘導装置１０は、図１及び図２に示すように、複数の点灯手段としてのランプ１１Ｂ，１１Ｙ，１１Ｒを有する。ランプ１１Ｂ，１１Ｙ，１１Ｒの設置部位は限定されるものではないが、小便器利用者Ｍがトイレ３０の小便器３１を利用する際に、できるだけ視覚に入りやすい位置が好ましい。例えば、小便器利用者Ｍの顔の前方に位置する壁部、小便器３１の上部、あるいは、壁部や小便器３１の上部付近に付設され、芳香を発散したり、小便器３１内に薬液を供給したりする薬液容器のケース等に設けることができる。また、複数のランプ１１Ｂ，１１Ｙ，１１Ｒは、小便器利用者Ｍが視覚的に認識可能な複数種類の色にて点灯するもので、例えばＬＥＤ、その他のランプを用いる。
なお、トイレ３０には、公園、コンビニ、スーパー、デパートなどに設置された不特定多数の人が利用する種々のタイプのものが含まれる。
【００２５】
複数種類の色としては、少なくとも、適切な利用位置Ｓ１と、小便器利用者Ｍが前進すべき利用位置Ｓ２と、不適切な利用位置Ｓ３とを識別でき、小便器利用者Ｍを適切な利用位置Ｓ１へと誘導することができるものである。人が通常の生活で一般的に使用されているもので、その色を見ただけで、前進又は停止、あるいは適正又は不適正を判別して行動を促す色を用いることが望ましい。その点で、道路の信号機に使用される、青色（本明細書において「青色」には青系、緑系の色のいずれも含む）、黄色、赤色の三種類の色は、最適である。また、これらであれば、国内外のいずれの人にも容易に各色の意図が伝わりやすい。
【００２６】
そこで、本実施形態では、青色、黄色、赤色の三種類の色のランプ１１Ｂ，１１Ｙ，１１Ｒを使用している。すなわち、青色のランプ１１Ｂの点灯は、適切な利用位置Ｓ１を示すもので、この位置で用を足した場合には小便器３１外への尿の飛散がきわめて少ないことが期待できる。具体的には、小便器３１の手前の縁３１ａから小便器利用者Ｍ（大腿前部）までの距離でＤ１（例えば１５ｃｍ以下）で青色のランプ１１Ｂが点灯するように設定する。なお、ここでの設定距離寸法は、小便器３１の形状や構造によって必ずしも一定ではない。
【００２７】
また、黄色のランプ１１Ｙの点灯は、小便器利用者Ｍが前進すべき利用位置Ｓ２を示すもので、小便器３１の手前の縁３１ａから小便器利用者Ｍ（大腿前部）までの距離でＤ２（例えば１５ｃｍから２５ｃｍの範囲内）で点灯するように設定する。赤色のランプ１１Ｒの点灯は、不適切な利用位置Ｓ３を示すもので、小便器３１の手前の縁３１ａから小便器利用者Ｍ（大腿前部）までの距離でＤ３（例えば２５ｃｍ超）で点灯するように設定する。
【００２８】
なお、小便器利用者ＭがＤ３（例えば２５ｃｍ超）の間は、人がいなくても赤色のランプ１１Ｒが点灯し続けるようにすることもできるし、人が所定の距離例えば小便器３１から５０ｃｍに近づくと、赤色のランプ１１Ｒが点灯する構成とすることもできる。後者の場合、赤色のランプ１１Ｒが点灯していない間は、トイレ３０内に人が存在しないか、存在していたとしても小便器３１から非常に離れていて小便器３１を利用する意図のない者、と判断することができる。従って、例えば、トイレ３０の出入り口に入退室検出センサ３０ａを設け（図３参照）、この入退室検出センサ３０ａの信号を、後述のように、インターネット等の通信手段４１を介して管理コンピュータ２０Ａに送信する構成とすることにより、トイレ３０に入ったにもかかわらず、小便器３１を利用しなかった者の人数を解析できる。
【００２９】
小便器利用位置誘導装置１０は、図１に示すように、制御部１２と、制御部１２で制御して上記の複数種類の色のランプ１１Ｂ，１１Ｙ，１１Ｒを点灯するために、小便器利用者Ｍの利用位置と小便器３１との間隔を段階的に検出する検出装置１３とを有している。検出装置１３は、上記のように、少なくとも、適切な利用位置Ｓ１と、小便器利用者Ｍが前進すべき利用位置Ｓ２と、不適切な利用位置Ｓ３とを検出可能になっている。
【００３０】
検出装置１３はかかる機能を有すればその種類は限定されるものではない。本実施形態では、検出装置１３として距離センサを用いており、小便器３１を取り付けている壁面あるいは壁内に設置している。この場合、距離センサは、小便器利用者Ｍまでの距離を検出する。例えば、前述したように３通りの利用位置Ｓ１，Ｓ２，Ｓ３（上記の例では、小便器３１の手前の縁３１ａから小便器利用者Ｍ（大腿前部）までの距離で、Ｓ１＝Ｄ１（例えば１５ｃｍ以下）、Ｓ２＝Ｄ２（例えば１５ｃｍから２５ｃｍの範囲内）、Ｓ３＝Ｄ３（例えば２５ｃｍ超、又は、２５ｃｍから５０ｃｍの範囲内）の検出装置１３からの距離を予め設定する。すなわち、Ｄ１〜Ｄ３の距離に、検出装置１３から小便器３１の手前の縁３１ａまでの水平距離を加えたものであり、それぞれ、設定距離Ｌ１，Ｌ２，Ｌ３とする。検出装置１３としての距離センサにて測定した小便器利用者Ｍ（大腿前部に相当する胸部上部ないし頸部前部付近）までの距離が、各設定距離にＬ１，Ｌ２，Ｌ３の範囲に相当するか否かで信号を出力する。各出力信号は制御部１２で制御され、３通りの利用位置Ｓ１，Ｓ２，Ｓ３を示す３種類の色のランプ１１Ｂ，１１Ｙ，１１Ｒをそれぞれ対応して点灯させる。
【００３１】
なお、検出装置１３としては、複数の設定距離を検出可能な一つの距離センサであってもよいし、あるいは異なる設定距離を検出する距離センサを複数用いてもよい。
【００３２】
また、検出装置１３の設置場所としては、前述のランプ１１Ｂ，１１Ｙ，１１Ｒと同様に、小便器利用者Ｍの前方に位置する壁部、小便器３１の上部、あるいは、壁部や小便器３１に付設され、芳香を発散したり、小便器３１内に薬液を供給したりする薬液容器のケース等に設置することができる。また、検出装置１３としては、距離を測定するものではなく、例えば、天井や床面等に、各利用位置Ｓ１，Ｓ２，Ｓ３に対応して配設した、人の有無を検知するだけの機能を有するものを用いることもできる。すなわち、各利用位置Ｓ１，Ｓ２，Ｓ３に対応して人の存在を検知すると信号を出力するため、結果的に、距離センサと同様に、小便器利用者Ｍの利用位置を特定することができる。
【００３３】
以上のことから、小便器利用者Ｍが、図１の点線に示すように不適切な利用位置Ｓ３に立った場合、図２の赤色のランプ１１Ｒが点灯する。赤色のランプ１１Ｒの点灯を見た小便器利用者Ｍは、習慣的に不適切な位置Ｓ３だと判断して前進するように促される。
また、図１の二点鎖線に示すように小便器利用者Ｍが前進すべき利用位置Ｓ２に立った場合、図２の黄色のランプ１１Ｙが点灯する。黄色のランプ１１Ｙの点灯を見た小便器利用者Ｍは、習慣的にもう少し前進すべき位置Ｓ２だと判断して前進するように促される。
また、図１の実線に示すように適切な利用位置Ｓ１に立った場合、図２の青色のランプ１１Ｂが点灯する。青色のランプ１１Ｂの点灯を見た小便器利用者Ｍは、習慣的に適切な位置Ｓ１だと判断する。
【００３４】
以上のように、小便器利用位置誘導装置１０は、小便器利用者Ｍが、赤、黄、青の３種類の色の点灯を見ただけで習慣的に前進するように促され、青色が点灯する利用位置Ｓ１まで誘導する効果がある。青色が点灯する利用位置Ｓ１で用を足した場合には、小便器３１外への尿の飛散が抑制される。
【００３５】
なお、上記の３種類の色のランプ１１Ｂ，１１Ｙ，１１Ｒの近くに、例えば『青色のランプが点灯するまで前進してください』などの簡単な説明を表示すると、より一層小便器利用者Ｍに前進を促すことになる。
【００３６】
また、前述の小便器利用位置誘導装置１０は、検出装置１３にて検出した複数種類の利用位置Ｓ１，Ｓ２，Ｓ３に対応して音声を発生する音声発生装置（図示せず）を設けることができる。
【００３７】
例えば、小便器利用者Ｍが赤色のランプ１１Ｒを点灯する不適切な利用位置Ｓ３に立った場合、『ご利用位置は赤です』とアナウンスする音声が発生する。また、小便器利用者Ｍが黄色のランプ１１Ｙを点灯する前進すべき利用位置Ｓ２に立った場合、『まだ黄色です』という音声が発生する。また、小便器利用者Ｍが青色のランプ１１Ｂを点灯する適切な利用位置Ｓ１に立った場合、『青になりました』という音声が発生する。
【００３８】
次に、本発明の実施形態に係る小便器利用状況管理システム２について図面を参照して説明する。
小便器利用状況管理システム２０は、図３に示すように、前述の小便器利用位置誘導装置１０を用いてトイレ３０における各小便器３１，３１，・・・の利用状況を管理するものである。つまり、小便器利用位置誘導装置１０における検出装置１３から出力される検出信号のデータを、インターネット等の通信手段４１を介して例えば管理コンピュータ２０Ａへ送信し、送信されたデータから小便器３１の利用状況を解析して管理する。
【００３９】
管理コンピュータ２０Ａでは、通信手段４１を介して送信されたデータを受信する検出信号受信手段２２を備える。
管理コンピュータ２０Ａは、さらに、主制御部であるＣＰＵ２１と、種々のデータを記憶するメモリ２３と、表示装置であるモニタ２４と、前記検出信号受信手段２２で受信したデータから小便器３１の利用状況を解析する演算装置を備えた小便器利用状況解析手段２５を備える。
【００４０】
検出装置１３から出力されたデータについて、前述の青色のランプ１１Ｂ、黄色のランプ１１Ｙ、赤色のランプ１１Ｒの三種類を用いた場合を例にとって説明する。
例えば、青色のランプ１１Ｂ、黄色のランプ１１Ｙ、赤色のランプ１１Ｒのいずれかが点灯する場合は、小便器利用者Ｍを検出している。しかし、いずれのランプ１１Ｂ，１１Ｙ，１１Ｒも点灯しない場合は、利用しようとする人を検出していない。これにより、小便器利用状況解析手段２５において、各小便器３１の利用人数を把握することができる。また、トイレ３０の出入り口に設置した入退室検出センサ３０ａのデータと各小便器３１に対応する検出装置１３のデータとを比較する比較判断手段２６を備えることが好ましい。これによりトイレ３０に出入りした人数と、その中で実際に小便器３１を利用した人数とを比較して把握することができる。
【００４１】
また、小便器利用状況解析手段２５は、各検出装置１３から出力される検出信号のデータにおいて、複数種類の利用位置Ｓ１，Ｓ２，Ｓ３，に対応して、前記検出装置１３の検出時間の継続時間を測定できる継続時間測定手段２７を有する構成とすることが好ましい。
継続時間測定手段２７を有することにより、例えば、各ランプ１１Ｂ，１１Ｙ，１１Ｒが点灯する位置に立ったが、用を足すことなく立ち去る場合もあるため、例えば所定時間（例えば２秒）以上を経過した場合のみ、小便器利用者Ｍが該当するランプ１１Ｂ（又は１１Ｙ，１１Ｒ）の利用位置で排尿していると判断する構成とすることで、実際の利用者、利用位置をより正確に判定することができる。
【００４２】
これらのことから、本実施形態の便器利用状況管理システム２０によれば、トイレ３０における全体の利用者数だけでなく、例えば複数の各小便器３１，３１，・・・の利用状況を把握できる。つまり、各小便器３１，３１，・・・において各ランプ１１Ｂ，１１Ｙ，１１Ｒが点灯する利用位置で排尿している人が何人いるか、適切な位置で利用している人の人数あるいはそれ以外の位置で利用している人の人数等の状況を解析できる。さらに、トイレ３０における複数の小便器３１，３１，・・・のうち、どの小便器３１の利用者数が多いかあるいは少ないかなど、トイレ３０内の複数の小便器３１，３１，・・・の全体的な利用状況を解析できる。あるいは、その他の様々な観点から種々の利用状況を解析できる。
【００４３】
上記の解析結果は、例えば、赤色のランプ１１Ｒの点灯が多いトイレ３０の場合は、清掃の回数を増やす対策を取ることができる。あるいは、トイレ３０自体の改善を促す対策を取ることができ、その他の観点から様々な改善策、対応策を取ることができる。また、小便器３１に薬液を供給する薬液容器を備える場合、利用人数を小便器３１毎に正確に把握できるため、薬液容器内に収容されている薬液の交換や補充時期を、管理コンピュータ２０Ａにおいてより正確に予測できる。
【００４４】
また、トイレ３０の利用状況や衛生状況を管理するためであるとしても、トイレ３０内にカメラ等の可視的な装置を設置することはできないが、本実施形態の小便器利用状況管理システム２０は、トイレ３０の利用状況を間接的に把握することができ、適切な管理をすることができる。
【００４５】
なお、管理コンピュータ２０Ａには、上記の小便器利用位置誘導装置１０における検出装置１３から出力される検出信号を、通信手段４１を介して受信するステップと、受信したデータから小便器の利用状況を解析するステップとを実行させるコンピュータプログラムが設定されている。小便器の利用状況を解析するステップでは、検出信号が送信されてきた小便器３１の特定、ランプの検出位置の特定を行うなどして上記のように利用状況を解析する。このほか、コンピュータプログラムは、入退室検出センサ３０ａのデータと各小便器３１に対応する検出装置１３のデータとを比較して、トイレ３０内への入退室人数と小便器３１の実際の利用人数との比較を行うステップを実行させたり、小便器３１の継続時間を測定して、小便器３１の実際の利用者のより正確なカウントをするステップを実行させたりすることができる。
【００４６】
なお、コンピュータプログラムは、記録媒体に記憶させてもよい。この記録媒体を用いれば、例えば上記管理コンピュータ２０Ａに上記プログラムをインストールすることができる。ここで、上記プログラムを記憶した記録媒体は、非一過性の記録媒体であっても良い。非一過性の記録媒体は特に限定されないが、例えば フレキシブルディスク、ハードディスク、ＣＤ−ＲＯＭ、ＭＯ（光磁気ディスク）、ＤＶＤ−ＲＯＭ、メモリカードなどの記録媒体が挙げられる。また、通信回線を通じて上記プログラムを上記コンピュータに伝送してインストールすることも可能である。
【符号の説明】
【００４７】
１０  小便器利用位置誘導装置
１１Ｂ，１１Ｙ，１１Ｒ  ランプ（点灯手段）
１３  検出装置
２０  小便器利用状況管理システム
２０Ａ  管理コンピュータ
２２  検出信号受信手段
２５  小便器利用状況解析手段
２６  比較判断手段
２７  継続時間測定手段
３０  トイレ
３１  小便器
Ｍ  小便器利用者
Ｓ１  適切な利用位置
Ｓ２  前進すべき利用位置
Ｓ３  不適切な利用位置
Ｌ１，Ｌ２，Ｌ３  設定距離
【図１】
0006726982.tif 000002
【図２】
0006726982.tif 000003
【図３】
0006726982.tif 000004